(57)【要約】【課題】ワックスなどの化学物質の熱による融解作用を利用し、設定温度超過の際に発色紙を発色させる設定温度超過の事実を表示する示温ラベルにおいては、測定対象物が経時的に受ける熱の総量（累積値）の表示はなかなかむずかしく、実用に耐えるものは存在していなかった。【構成】任意の設定温度で固体から液体に変化する化学物質からなるシート状の感温材２をベースフィルム１上に載置せしめると共に、一方が彩色面４となっており、前記化学物質が浸み込むことにより、半透明化し、他方の面から彩色面４が透けて見える様になるシート状の発色材３を、その一部が前記感温材２に重なる様に、彩色面４を下側にしてベースフィルム１上に重畳し、その上を表面フィルム５で被覆せしめて示温ラベルを構成した。【選択図】  図１
2007121017.tif 000002
【特許請求の範囲】
【請求項１】
任意の設定温度で固体から液体に変化する化学物質からなるシート状の感温材２をベースフィルム１上に設置せしめると共に、前記化学物質が浸み込むことにより発色するシート状の吸収発色材３を、その一部が前記感温材２に重なる様にベースフィルム１上に重畳し、その上を表面フィルム５で被覆せしめたことを特徴とする経時変化型示温ラベル。
【請求項２】
それぞれ異なった任意の設定温度で固体から液体に変化する化学物質からなるシート状をなした複数の感温材２をベースフィルム１上に間隔をあけて並列状態で設置せしめると共に、前記化学物質が浸み込むことにより発色する短冊状の吸収発色材３を、その一端が前記感温材２に重なる様にベースフィルム１上に平行に設置せしめ、その上を表面フィルム５で被覆したことを特徴とする経時変化型示温ラベル。
【請求項３】
吸収発色材３として色紙（いろがみ）を用い、その彩色面４を下側にしてベースフィルム１上に重畳し、感温材２中の化学物質が浸み込むことにより、半透明化して表面側から彩色面４が透けて見える様にしたことを特徴とする請求項１又は２記載の経時変化型示温ラベル。
【請求項４】
感温材２を構成する化学物質として着色された化学物質を用いると共に、吸収発色材３として彩色されていない吸収紙を用い、着色された化学物質が吸収発色材３に浸み込むことにより、吸収発色材３を発色させる様にしたことを特徴とする請求項１又は２記載の経時変化型示温ラベル。
【請求項５】
表面フィルム５が透明であることを特徴とする請求項１又は２記載の経時変化型示温ラベル。
【請求項６】
所定位置に透明窓８が形成された不透明な表面フィルム５を、あらかじめ設定された任意の超過温度累積値に相当する吸収発色材３の発色位置に前記透明窓８が一致する様にベースフィルム１上に重畳したことを特徴とする請求項１記載の経時変化型示温ラベル。
【請求項７】
吸収発色材３がつづら折り状に屈曲せしめられており、その一方の末端に感温材２が重畳されていることを特徴とする請求項１記載の経時変化型示温ラベル。
【請求項８】
吸収発色材３が渦巻き状に形成せしめられており、その一方の末端に感温材２が重畳されていることを特徴とする請求項１記載の経時変化型示温ラベル。
【請求項９】
感温材２がドーナツ状に形成されており、その上に円盤状の吸収発色材３が同心円状に重畳されていることを特徴とする請求項１記載の経時変化型示温ラベル。
【請求項１０】
感温材２と吸収紙１０とがベースフィルム１上で隔離されており、前記感温材２と吸収紙１０との間に融解した化学物質が流動出来る連絡路１１が形成されていると共に、吸収紙１０に吸収発色材３の一端が重畳されていることを特徴とする請求項１記載の経時変化型示温ラベル。
【請求項１１】
任意の設定温度で固体から液体に変化する化学物質が石油系ワックスであることを特徴とする請求項１又は２記載の経時変化型示温ラベル。
【請求項１２】
スリット状の透明窓８が複数条平行に形成されている不透明な表面フィルム５を、前記透明窓８がそれぞれ対応する吸収発色材３にかぶさる様にベースフィルム１上に重畳したことを特徴とする請求項２記載の経時変化型示温ラベル。
【発明の詳細な説明】
【技術分野】
【０００１】
この発明は経時変化型示温ラベル、詳しくは対象物が経時的に受ける熱の総量を表示することが出来る経時変化型示温ラベルに関するものである。
【背景技術】
【０００２】
温度管理を必要とする対象物の中には、単なる時間毎の温度変化やある瞬間における温度情報ではなく、対象物が経時的に受ける熱の総量（累積値）を知る必要がある場合もある。
【０００３】
たとえば、食品工業のある分野においては、品質保持の為、ある設定温度以上で、かつ一定時間以上その温度に晒されぬ様にしなければならないものがあり、その為には加えられた熱の総量（累積値）を知ることが必要となる。又、ある種の電気機器においては、継続的な稼動によって機器内に発生した熱の総量（累積値）がある一定値を超えた場合、機能劣化の可能性ありとして精密検査することが定められているものもある。更に、半導体ウェハーの製造過程においては、プラズマ雰囲気中において半導体ウェハーの各部分に加わる熱量の累積値を試験により確認することも行われている。
【０００４】
この様に、対象物が経時的に受ける熱の総量（累積値）を知ることは大変重要であり、従来からその為の測定具がいくつか提案されている。
【特許文献１】なし
【非特許文献１】なし
【発明の開示】
【発明が解決しようとする課題】
【０００５】
ワックスなどの化学物質の熱による融解作用を利用し、設定温度超過の際に発色紙を発色させて設定温度超過の事実を表示する示温ラベルは、対象物の表面に簡単に貼付出来ると共に低コストで調達出来、検知精度も比較的すぐれているので、最近では各種産業分野において広く使用される様になっており、これら示温ラベルにおいても、対象物が経時的に受ける熱の総量（累積値）を表示出来る様にする試みがなされている。
【０００６】
しかしながら、従来から存在する経時的に受ける熱の総量（累積値）を表示出来る示温ラベルの多くは、発色体の色調の変化によって累積値を表示するものがほとんどであり、表示が不鮮明で、測定精度も低く、到底実用に耐え得るものではなかった。又、測定時間を長くすればする程、測定精度が低下する性質があり、長時間にわたり精度の高い測定値を維持するのはなかなかむずかしかった。
【０００７】
本発明者は、対象物が経時的に受ける熱の総量（累積値）の測定に関する従来の問題点を解決すべく研究を行った結果、熱の累積値を高精度かつ鮮明に表示することが出来ると共に、測定時間を自由に設定できる極めて便利な示温ラベルを開発することに成功し、本発明としてここに提案するものである。
【課題を解決するための手段】
【０００８】
任意の設定温度で固体から液体に変化する化学物質からなるシート状の感温材２をベースフィルム１上に設置せしめると共に、前記化学物質が浸み込むことにより発色するシート状の吸収発色材３を、その一部が前記感温材２に重なる様にベースフィルム１上に重畳し、その上を表面フィルム５で被覆せしめて経時変化型示温ラベルを構成することにより、又、それぞれ異なった任意の設定温度で固体から液体に変化する化学物質からなるシート状をなした複数の感温材２をベースフィルム１上に間隔をあけて並列状態で設置せしめると共に、前記化学物質が浸み込むことにより発色する短冊状の吸収発色材３をその一端が前記感温材２に重なる様にベースフィルム１上に平行に設置せしめ、その上を表面フィルム５で被覆して経時変化型示温ラベルを構成することにより、それぞれ上記課題を解決した。。
【発明の効果】
【０００９】
この発明に係る経時変化型示温ラベルにおいては、従来のものの様に発色体３の色調の変化ではなく、発色体３の発色部分６の面積の変化によって超過温度の累積値を知るようにしたので、より視認しやすく、各種機器類の温度管理をより正確かつ迅速に実施出来る効果を有する。又、吸収発色体３の長さを長くすることにより、累積時間を自由に延長させることが出来、従来のものにおいては不可能であった長時間にわたる累積値の測定が可能となり、示温ラベルの適用分野をより拡大させることが出来る。
【発明を実施するための最良の形態】
【００１０】
吸収発色材３の一部にのみ重なる様に、感温材２を吸収発色材３に部分的に重ね合せ、融解した化学物質が序々に吸収発色材３に浸み込む様にしたことに最大の特徴が存する。
【実施例１】
【００１１】
図１はこの発明に係る経時変化型示温ラベルの実施例１の断面図、図２は図１における矢視Ａ−Ａ線断面図である。
【００１２】
図中１はベースフィルムであり、裏面には粘着材が塗布され、図示を省略した対象物の表面に粘着せしめられる様になっている。そして、このベースフィルム１の表面側には、矩形をなしたシート状の感温材２が設置されている。
【００１３】
感温材２は、あらかじめ定められた設定温度で固体から液体に変化する石油系ワックスなどの化学物質を吸い取り紙や和紙などの薄いシート状吸収体に浸み込ませたものであるが、石油系ワックスなどの化学物質自体を薄いシート状に成形したものであっても良い。
【００１４】
一方、図中３は、一方の面に色彩が施された色紙（いろがみ）からなる短冊状をなした吸収発色材であり、その色彩面４を裏側にし、その長手方向一端寄りの部分が前記感温材２に重畳する様に、ベースフィルム１上に設置されており、その上からベースフィルム１全体を覆う様に透明な表面フィルム５が重畳されている。
【００１５】
この実施例１は上述の通りの構成を有するものであり、あらかじめ設定された温度以上になると、感温材２を構成している石油系ワックスなどの化学物質が融解し、吸収発色材３中に浸み込み、吸収発色材３の表面側に位置している不透明部分を半透明化し、裏面側の彩色面４を表面側から透けて見える様にして設定温度超過の事実を表示する。
【００１６】
この際、感温材２は短冊状をなした吸収発色材３の長手方向側端付近に設置されているので、融解した化学物質は時間の経過と共に吸収発色材３の長手方向他端側へ序々に浸み出し、浸み込み面積を増して行き、図３に示す様に発色部分６が序々に拡大するので、設定温度超過の累積時間を吸収発色材３の発色部分６の大きさから知ることが出来る。
【００１７】
なお、設定温度超過後に、設定温度以下に対象物の温度が低下すると、それまで融解して液状だった化学物質は固体に戻る為、吸収発色材３への浸み込みはその時点で一時停止し、発色部分６の拡大はストップする。その後、再び設定温度を超過すると化学物質は再び融解し、吸収発色材３への浸み込みが再開され、発色部分６は増加することになる。この様に、設定温度超過、設定温度以下への低下を繰り返しても、吸収発色体３は設定温度超過の累積値に応じて発色部分６の面積を断続的に増加させ、その累積値を逐次表示する。
【００１８】
なお、上記実施例においては、吸収発色材３には色紙（いろがみ）を用いたが、図４に示すものの様に、彩色されていない和紙や吸い取り紙などの吸収機能を持った吸収紙を吸収発色材３として用いると共に、感温材２を構成する化学物質として着色された化学物質を用いても良く、その場合には、図５に示す様に、あらかじめ設定された温度以上になると、感温材２を構成している着色された化学物質が融解し、吸収発色材３中に浸み込み、吸収発色材３を着色して発色部分６を形成して設定温度超過の事実を表示する。
【００１９】
なお、用途によっては、設定温度超過の累積値の変化状況の把握は特に必要ではなく、累積値が予め設定された限界を超過した事実だけを知れば良い場合もあるが、その場合には、図６及び図７に示す様に、所定位置に透明窓８が形成された不透明な表面フィルム５を用い、あらかじめ設定された任意の超過温度累積値に相当する吸収発色材３の発色位置に前記透明窓８が一致する様に表面フィルム５をベースフィルム１上に重畳すれば良い。
【００２０】
又、長時間にわたる超過温度累積値を知りたい場合もあるが、その場合には、図８に示す様に、吸収発色材３をつづら折り状に形成したり、図９に示す様に渦巻き状に形成し、その一方の端末に感温材２を重畳する様にしても良い。更に、図１０に示す様に、感温材２と吸収紙１０とを隔離し、その間を融解した化学物質が流動出来る連絡路１１で連結すると共に、吸収紙１０に吸収発色材３の一端を重畳し、設定温度超過の際に、融解した化学物質を連絡路１１を通して一旦吸収紙１０に浸み込ませ、この吸収紙１０を介して吸収発色材３に融解した化学物質を供給する様にしても良い。
【００２１】
一方、超過温度累積値の表示を視覚的により分かりやすくしたい場合には、図１１及び図１２に示す様に、感温材２をドーナツ状に形成し、その上に円盤状をなした吸収発色材３を同心円状に重畳しても良く、この場合には超過温度累積値に応じてリング状の発色部分６の幅が大きくなることにより、その値をより明瞭に知ることが出来る様になる。
【００２２】
この様に、この実施例１に係る経時変化型示温ラベルにおいては、従来のものの様に吸収発色体３の色調の変化ではなく、吸収発色体３の発色部分６の面積の変化によって超過温度累積値を知る様にしたので、より視認しやすく、各種機器類の温度管理を正確かつ迅速に実施出来る効果を有する。又、吸収発色体３の長さを長くしたり、吸収紙１０の大きさを大きくすることにより、累積時間を自由に延長させることが出来、従来のものにおいては、不可能であった長時間にわたる累積値の測定が可能となり、示温ラベルの適用分野をより拡大させることが出来る効果を有する。
【実施例２】
【００２３】
図１３はこの発明に係る経時変化型示温ラベルの実施例２の平面図であり、この実施例２においても、感温材２及び吸収発色材３自体は、前述の実施例１におけるそれと同じものであるが、この実施例２においては、例えば４０℃、４５℃、５０℃、５５℃、６０℃、６５℃、７０℃、７５℃、８０℃、８５℃という様に、それぞれ異なった任意の設定温度で融解を開始する複数の感温材２ａ、２ｂ、２ｃ、２ｄ、２ｅ、２ｆ、２ｇ、２ｈ、２ｉ、２ｊを用い、これらをベースフィルム１上に間隔をあけて並列状態で設置せしめ、短冊状をなした吸収発色材３ａ、３ｂ、３ｃ、３ｄ、２ｅ、２ｆ、２ｇ、２ｈ、２ｉ、２ｊの長手方向一端寄りの部分を前記感温材２ａ、２ｂ、２ｃ、２ｄ、２ｅ、２ｆ、２ｇ、２ｈ、２ｉ、２ｊに重畳する様にベースフィルム１上に平行状態で設置し、その上からベースフィルム１全体を覆う様に透明な表面フィルム５を重畳している。
【００２４】
この実施例２においては、上述の通り、感温材３ａ、３ｂ、３ｃ、３ｄ、２ｅ、２ｆ、２ｇ、２ｈ、２ｉ、２ｊはそれぞれ４０℃、４５℃、５０℃、５５℃、６０℃、６５℃、７０℃、７５℃、８０℃、８５℃で融解を開始する様になっているので、たとえば、対象物の温度が４０℃を超えたときには、図１４に示す様に吸収発色材３ａの発色部分６ａが時間の経過と共に拡大して４０℃超過の累積時間を表示し、同様に対象物の温度が６５℃を超えたときには図１５に示す様に、８５℃を超えたときには図１６に示す様に、それぞれ発色部分６が拡大してそれぞれの温度の累積値を表示する。従って、このグラフ状の発色部分６の大きさ、全体の形状や傾きなどを分析することにより、複数の設定温度超過の累積時間だけではなく、対象物に加わった熱エネルギーの総和を簡単かつ正確に知ることが出来、今まで不可能であったより精緻な温度管理や温度試験が可能となる。なお、上述の設定温度４０℃、５０℃、６０℃、７０℃、７５℃、８０℃、８５℃は、あくまで例示に過ぎず、自由に設定温度を決定出来ることは言うまでもない。又、設定温度が１０段階に限らないことももちろんであり、２段階以上何段階の設定温度としてもよいことは当然である。
【００２５】
更に、上述の図１３に示す実施例２においては、透明な表面フィルム５を用いたが、図１７及び図１８に示す様に、吸収発色材３ａ、３ｂ、３ｃ、３ｄがそれぞれ設置されている位置に対応する箇所にスリット状の透明窓１２ａ、１２ｂ、１２ｃ、１２ｄが平行に形成された不透明な表面フィルム５を用い、前記透明窓１２ａ、１２ｂ、１２ｃ、１２ｄがそれぞれ対応する吸収発色材３ａ、３ｂ、３ｃ、３ｄにかぶさる様にベースフィルム１に重畳しても良く、この様にした場合には、吸収発色材３ａ、３ｂ、３ｃ、３ｄの発色部分６ａ、６ｂ、６ｃ、６ｄはそれぞれ累積時間に応じて棒グラフ状に伸びていくので、その視認性がより一層向上する。
【産業上の利用可能性】
【００２６】
食品産業分野や電気機器分野など、温度管理を必要とするあらゆる産業分野において利用可能である。
【図面の簡単な説明】
【００２７】
【図１】この発明に係る経時変化型示温ラベルの実施例１の平面図。
【図２】図１における矢視Ａ−Ａ線断面図。
【図３】同じく、設定温度超過により、発色材３が発色した状態の平面図。
【図４】感温材２と吸収発色材３の材質を変えた実施例の平面図。
【図５】同じく、その発色状態の平面図。
【図６】他の実施例の一部を切欠いて描いた平面図。
【図７】同じく、表面フィルム５を分離して描いたその斜視図。
【図８】同じく、超過温度累積値をより長時間にわたり測定出来る様にした実施例の平面図。
【図９】吸収発色材３を渦巻き状にした実施例の平面図。
【図１０】同じく、超過温度累積値をより長時間にわたり測定出来る様にした他の実施例の平面図。
【図１１】視認性を高めた実施例の平面図。
【図１２】図８における矢視Ｂ−Ｂ線断面図。
【図１３】この発明に係る経時変化型示温ラベルの実施例２の平面図。
【図１４】同じく、吸収発色材３が発色した状態の平面図。
【図１５】同じく、発色が進行した状態の平面図。
【図１６】同じく、発色が更に進行した状態の平面図。
【図１７】スリット状の透明窓８を用いた実施例２の平面図。
【図１８】同じく、表面フィルム５を分離して描いたその斜視図。
【符号の説明】
【００２８】
１    ベースフィルム
２    感温材
３    吸収発色材
４    彩色面
５    表面フィルム
６    発色部分
８    透明窓
１０    吸収紙
１１    連絡路
【図１】
2007121017.tif 000003
【図２】
2007121017.tif 000004
【図３】
2007121017.tif 000005
【図４】
2007121017.tif 000006
【図５】
2007121017.tif 000007
【図６】
2007121017.tif 000008
【図７】
2007121017.tif 000009
【図８】
2007121017.tif 000010
【図９】
2007121017.tif 000011
【図１０】
2007121017.tif 000012
【図１１】
2007121017.tif 000013
【図１２】
2007121017.tif 000014
【図１３】
2007121017.tif 000015
【図１４】
2007121017.tif 000016
【図１５】
2007121017.tif 000017
【図１６】
2007121017.tif 000018
【図１７】
2007121017.tif 000019
【図１８】
2007121017.tif 000020